(57)【要約】【課題】良好に通信を行うことができる光学部品および通信方法を提供する。【解決手段】別体のカメラ１０に着脱可能なレンズ鏡筒１００であって、レンズ鏡筒１００は、カメラ１０の第１回路部Ｃ１と通信可能な第２回路部Ｃ２を有し、第２回路部Ｃ２は、カメラ１０との通信の際に第１回路部Ｃ１の通信接点１９と電気的に非接触である通信接点１０６を有し、通信接点１０６は、通信接点１９と交流結合によって通信可能であること、を特徴とする。【選択図】図２
2013058840.tif 000002
【特許請求の範囲】
【請求項１】
別体の光学機器に着脱可能な光学部品であって、
前記光学部品は、前記光学機器の第１回路部と通信可能な第２回路部を有し、
前記第２回路部は、前記光学機器との通信の際に前記第１回路部の第１接続部と電気的に非接触である第２接続部を有し、
前記第２接続部は、前記第１接続部と交流結合によって通信可能であること、
を特徴とする光学部品。
【請求項２】
請求項１に記載の光学部品であって、
前記第１回路部は、前記第１接続部と異なる第３接続部を有し、
前記第２回路部は、前記第２接続部と異なる第４接続部を有し、
前記第３接続部と前記第４接続部とは、互いに接触することにより、電気的に導通すること、
を特徴とする光学部品。
【請求項３】
請求項２に記載の光学部品であって、
前記光学部品はカメラアクセサリであり、前記光学機器はカメラボディであること、
を特徴とする光学部品。
【請求項４】
請求項１から３のいずれか１項に記載の光学部品であって、
前記第１接続部と前記第２接続部とのそれぞれは、フレキシブルプリント回路基板に付着される導箔パターンにより構成され、前記導箔パターン同士を所定の間隔で対向することにより交流結合すること、
を特徴とする光学部品。
【請求項５】
請求項１から４のいずれか１項に記載の光学部品であって、
前記第１回路部と前記第１接続部との間、及び前記第２回路部と前記第２接続部との間の、接続部から回路部へと電流が流れる少なくとも一方に、微分回路を形成するプルダウン抵抗と、前記微分回路の出力を整形するコンパレータと、を備えること、
を特徴とする光学部品。
【請求項６】
請求項５に記載の光学部品であって、
前記プルダウン抵抗は、前記第１接続部及び前記第２接続部により伝達される通信信号の周波数に対応して抵抗値を変更すること、
を特徴とする光学部品。
【請求項７】
第２回路部を有する光学部品と、前記光学部品に着脱可能であり第１回路部を有する光学機器との通信方法であって、
第１回路部に接続された第１接続部と、
第２回路部に接続された第２接続部と、を交流結合によって通信すること、
を特徴とする通信方法。
【請求項８】
請求項７に記載の通信方法であって、
前記第１回路部は、前記第１接続部と異なる第３接続部を有し、
前記第２回路部は、前記第２接続部と異なる第４接続部を有し、
前記第３接続部と前記第４接続部とは、互いに接触することにより、電気的に導通すること、
を特徴とする通信方法。
【請求項９】
請求項８に記載の通信方法であって、
前記第１接続部と前記第２接続部との間では、情報伝達の通信を行い、
前記第３接続部と前記第４接続部との間では、電力供給を行なうこと、
を特徴とする通信方法。
【請求項１０】
請求項７から９のいずれか１項に記載の通信方法であって、
前記第１接続部と前記第２接続部とのそれぞれは、フレキシブルプリント回路基板に付着される導箔パターンにより構成され、前記導箔パターン同士を所定の間隔で対向することにより交流結合すること、
を特徴とする通信方法。
【請求項１１】
請求項７から１０のいずれか１項に記載の通信方法であって、
前記第１回路部と前記第１接続部との間、及び前記第２回路部と前記第２接続部との間の、接続部から回路部へと電流が流れる少なくとも一方に、微分回路を形成するプルダウン抵抗と、前記微分回路の出力を整形するコンパレータと、を備えること、
を特徴とする通信方法。
【請求項１２】
請求項１１に記載の通信方法であって、
前記プルダウン抵抗は、前記第１接続部及び前記第２接続部により伝達される通信信号の周波数に対応して抵抗値を変更すること、
を特徴とする通信方法。
【発明の詳細な説明】
【技術分野】
【０００１】
本発明は、光学部品および通信方法に関するものである。
【背景技術】
【０００２】
レンズ鏡筒が着脱可能に装着され、レンズ鏡筒との通信が可能なカメラがある（例えば特許文献１参照）。このようなカメラでは、電子回路に、レンズ鏡筒側に設けられた導電片と物理的に接触可能な複数の電気接点を備える。そして、このカメラは、レンズ鏡筒が装着されると、複数の電気接点がレンズ装置側に設けられた導電片に接触して導通し、通信可能になる。
【先行技術文献】
【特許文献】
【０００３】
【特許文献１】特開２００４−１０９６９３号公報
【発明の概要】
【発明が解決しようとする課題】
【０００４】
ところで、カメラとレンズ鏡筒とを物理的に接触させることにより通信を行う場合、接点の腐食による酸化又は接点の磨耗を起因とした接触不良が発生し、通信不能になる可能性がある。
【０００５】
本発明は、良好に通信を行うことができる光学部品および通信方法を提供することを目的とする。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、別体の光学機器（１０）に着脱可能な光学部品（１００）であって、前記光学部品（１００）は、前記光学機器（１０）の第１回路部（Ｃ１）と通信可能な第２回路部（Ｃ２）を有し、前記第２回路部（Ｃ２）は、前記光学機器（１０）との通信の際に前記第１回路部（Ｃ１）の第１接続部（１９）と電気的に非接触である第２接続部（１０６）を有し、前記第２接続部（１０６）は、前記第１接続部（１９）と交流結合によって通信可能であること、を特徴とする光学部品（１００）である。
請求項２に記載の発明は、請求項１に記載の光学部品（１００）であって、前記第１回路部（Ｃ１）は、前記第１接続部（１９）と異なる第３接続部（１７，１８）を有し、前記第２回路部（Ｃ２）は、前記第２接続部（１０６）と異なる第４接続部（１０４，１０５）を有し、前記第３接続部（１７，１８）と前記第４接続部（１０４，１０５）とは、互いに接触することにより、電気的に導通すること、を特徴とする光学部品（１００）である。
請求項３に記載の発明は、請求項２に記載の光学部品（１００）であって、前記光学部品（１００）はカメラアクセサリであり、前記光学機器（１０）はカメラボディであること、を特徴とする光学部品（１００）である。
請求項４に記載の発明は、請求項１から３のいずれか１項に記載の光学部品（１００）であって、前記第１接続部（１９）と前記第２接続部（１０６）とのそれぞれは、フレキシブルプリント回路基板（ＢＰ１，ＢＰ２）に付着される導箔パターン（Ｐ１１，Ｐ１２，Ｐ１３，Ｐ２１，Ｐ２２，Ｐ２３）により構成され、前記導箔パターン同士を所定の間隔で対向することにより交流結合すること、を特徴とする光学部品（１００）である。
請求項５に記載の発明は、請求項１から４のいずれか１項に記載の光学部品（１００）であって、前記第１回路部（Ｃ１）と前記第１接続部（１９）との間、及び前記第２回路部（Ｃ２）と前記第２接続部（１０６）との間の、接続部から回路部へと電流が流れる少なくとも一方に、微分回路を形成するプルダウン抵抗（Ｒ）と、前記微分回路の出力を整形するコンパレータ（ＣＰ）と、を備えること、を特徴とする光学部品（１００）である。
請求項６に記載の発明は、請求項５に記載の光学部品（１００）であって、前記プルダウン抵抗（Ｒ）は、前記第１接続部（１９）及び前記第２接続部（１０６）により伝達される通信信号の周波数に対応して抵抗値を変更すること、を特徴とする光学部品（１００）である。
請求項７に記載の発明は、第２回路部（Ｃ２）を有する光学部品（１００）と、前記光学部品（１００）に着脱可能であり第１回路部（Ｃ１）を有する光学機器（１０）との通信方法であって、第１回路部（Ｃ１）に接続された第１接続部（１９）と、第２回路部（Ｃ２）に接続された第２接続部（１０６）と、を交流結合によって通信すること、を特徴とする通信方法である。
請求項８に記載の発明は、請求項７に記載の通信方法であって、前記第１回路部（Ｃ１）は、前記第１接続部（１９）と異なる第３接続部（１７，１８）を有し、前記第２回路部（Ｃ２）は、前記第２接続部（１０６）と異なる第４接続部（１０４，１０５）を有し、前記第３接続部（１７，１８）と前記第４接続部（１０４，１０５）とは、互いに接触することにより、電気的に導通することを特徴とする通信方法である。
請求項９に記載の発明は、請求項８に記載の通信方法であって、前記第１接続部（１９）と前記第２接続部（１０６）との間では、情報伝達の通信を行い、前記第３接続部（１７，１８）と前記第４接続部（１０４，１０５）との間では、電力供給を行なうことを特徴とする通信方法である。
請求項１０に記載の発明は、請求項７から９のいずれか１項に記載の通信方法であって、前記第１接続部（１９）と前記第２接続部（１０６）とのそれぞれは、フレキシブルプリント回路基板（ＢＰ１，ＢＰ２）に付着される導箔パターン（Ｐ１１，Ｐ１２，Ｐ１３，Ｐ２１，Ｐ２２，Ｐ２３）により構成され、前記導箔パターン同士を所定の間隔で対向することにより交流結合すること、を特徴とする通信方法である。
請求項１１に記載の発明は、請求項７から１０のいずれか１項に記載の通信方法であって、前記第１回路部（Ｃ１）と前記第１接続部（１９）との間、及び前記第２回路部（Ｃ２）と前記第２接続部（１０６）との間の、接続部から回路部へと電流が流れる少なくとも一方に、微分回路を形成するプルダウン抵抗（Ｒ）と、前記微分回路の出力を整形するコンパレータ（ＣＰ）と、を備えること、を特徴とする通信方法である。
請求項１２に記載の発明は、請求項１１に記載の通信方法であって、前記プルダウン抵抗（Ｒ）は、前記第１接続部（１９）及び前記第２接続部（１０６）により伝達される通信信号の周波数に対応して抵抗値を変更すること、を特徴とする通信方法である。
なお、符号を付して説明した構成は、適宜改良してもよく、また、少なくとも一部を他の構成物に代替してもよい。
【発明の効果】
【０００８】
良好に通信を行うことができる光学部品および通信方法を提供することができる。
【図面の簡単な説明】
【０００９】
【図１】本実施形態のカメラシステムの概略図である。
【図２】本実施形態のカメラシステムのブロック図である。
【図３】本実施形態の通信接点の構成を示す模式図である。
【図４】本実施形態のカメラ筐体にレンズ鏡筒を装着した場合におけるカメラ側の通信接点とレンズ側の通信接点との関係を示す斜視図である。
【図５】本実施形態のカメラ筐体にレンズ鏡筒を装着した場合におけるカメラ側の通信接点とレンズ側の通信接点との関係を示す側面図である。
【図６】本実施形態のカメラ側の導箔パターンとレンズ側の導箔パターンとを対向させた場合の状態を説明する模式図である。
【図７】本実施形態のカメラ側のクロックライン接点と、レンズ側のクロックライン接点とが交流結合した場合の等価回路を示す図である。
【図８】本実施形態のカメラＣＰＵからレンズＣＰＵに送信されるクロック信号の波形を示す図である。
【発明を実施するための形態】
【００１０】
以下、本発明にかかるカメラシステム１の実施形態について、添付図面を参照しながら詳細に説明する。
図１は、本実施形態のカメラシステム１の概略図であり、図２は、本実施形態のカメラシステム１のブロック図である。
【００１１】
カメラシステム１は、図１および図２に示すようにレンズ鏡筒１００をカメラ１０に装着可能なシステムである。
カメラ１０は、カメラ筐体１１を備え、そのカメラ筐体１１の内部に回路部Ｃ１を備えている。回路部Ｃ１は、リジッド基板に形成されており、カメラＣＰＵ１２、電源部１３、電源回路１４、給電回路１５、給電スイッチ１６、電気接点１７、回路電気接点１８、通信接点１９および操作スイッチ２０を備えている。
カメラ筐体１１は、レンズ鏡筒１００を着脱自在に装着する装着部１１−１を有し、後述の電源部１３の陰極部Ｍ１に接続されることによりグランドにされている。
装着部１１−１は、レンズ鏡筒１００との装着面が導電性のある金属部材で形成されており、後述の電源部１３の陰極部Ｍ１とカメラ筐体１１を介して導通している。
【００１２】
カメラＣＰＵ１２は、カメラ１０に供給される電源や、レンズ鏡筒１００と通信する操作関連の情報などを一括して管理し、カメラ１０の各部を制御するマイクロコンピュータである。
電源部１３は、陽極部Ｐ１および陰極部Ｍ１を有し、カメラ１０の各部に電力を供給する交換又は充電可能な電池であり、電源部１３の陽極部Ｐ１には、電源回路１４、給電回路１５および給電スイッチ１６が接続されている。また、電源部１３の陰極部Ｍ１には、カメラ筐体１１、カメラＣＰＵ１２、電源回路１４および後述の電気接点１７の陰極接点１７ｂが接続されている。
電源回路１４は、電源部１３から供給される電力の電圧を安定させて、安定化した電力をカメラＣＰＵ１２や、回路電気接点１８に供給する電源安定化回路である。また、電源回路１４は、カメラＣＰＵ１２から送信される信号ＣＴＬ１に基づいて、電源回路１４から電力を出力したり、遮断したりする。
【００１３】
給電回路１５は、シリコンダイオード１５ａを介して供給される電源部１３の電力と、シリコンダイオード１５ｂを介して供給される電源回路１４の電力とを入力し、一方の電力を選択してカメラＣＰＵ１２に供給する回路である。
給電スイッチ１６は、電気接点１７の陽極接点１７ａに電源部１３の電力を供給するか否かを切り替えるＯＮ／ＯＦＦスイッチである。
【００１４】
電気接点１７は、カメラ筐体１１の装着部１１−１に設けられ、電源部１３の電力を、後述のレンズ鏡筒１００に設けられた電気接点１０４に伝達させる接触式の接点である。電気接点１７は、電源部１３の陽極部Ｐ１に接続された陽極接点１７ａと、陰極部Ｍ１に接続された陰極接点１７ｂとを有している。電気接点１７は、装着部１１−１にレンズ鏡筒１００が装着されると、電気接点１０４に物理的に接触して導通する。
回路電気接点１８は、カメラ筐体１１の装着部１１−１に設けられ、電源回路１４の電力を、後述のレンズ鏡筒１００に設けられた回路電気接点１０５に伝達させる接触式の接点である。回路電気接点１８は、装着部１１−１にレンズ鏡筒１００が装着されると、回路電気接点１０５に物理的に接触して導通する。
【００１５】
通信接点１９は、カメラ筐体１１の装着部１１−１にカメラＣＰＵ１２と接続された状態で設けられ、カメラＣＰＵ１２と後述のレンズ鏡筒１００のレンズＣＰＵ１０２との間で、レンズ鏡筒１００を動作させるための駆動信号を通信する非接触式の接点である。通信接点１９は、データライン接点１９ａと、ハンドシェイクライン接点１９ｂと、クロックライン接点１９ｃを備えている。データライン接点１９ａ、ハンドシェイクライン接点１９ｂ、およびクロックライン接点１９ｃは、装着部１１−１にレンズ鏡筒１００が装着された場合に、それぞれ、データライン接点１０６ａ、ハンドシェイクライン接点１０６ｂ、およびクロックライン接点１０６ｃと交流結合する。これにより、カメラ１０とレンズ鏡筒１００とが通信可能となる。
【００１６】
データライン接点１９ａは、カメラＣＰＵ１２とレンズＣＰＵ１０２との相互間でデータの送受信を行うためのデータラインを中継する。
ハンドシェイクライン接点１９ｂは、カメラＣＰＵ１２とレンズＣＰＵ１０２とが所定の制御信号によって通信するためのハンドシェイクラインを中継する。
クロックライン接点１９ｃは、カメラＣＰＵ１２とレンズＣＰＵ１０２とのクロック同期をとるためのクロックラインを中継する。
操作スイッチ２０は、カメラＣＰＵ１２に接続され、被写体像の撮影を実行するレリーズスイッチ２０ａと、カメラ１０の設定などを実施するボタン２０ｂとで構成される。
【００１７】
レンズ鏡筒１００は、鏡筒筐体１０１を備え、その鏡筒筐体１０１の内部に回路部Ｃ２を備えている。回路部Ｃ２は、リジッド基板に形成されており、レンズＣＰＵ１０２、電源回路１０３、電気接点１０４、回路電気接点１０５、通信接点１０６、操作スイッチ１０７、ＡＦ制御部１１０、ブレ補正部１２０および絞り機構部１３０を備えている。
鏡筒筐体１０１は、カメラ１０と着脱自在に装着される装着部１０１−１を有し、装着部１０１−１がカメラ１０の装着部１１−１と接触することにより、レンズ鏡筒１００およびカメラ１０のグランドを共通にしている。また、鏡筒筐体１０１は、後述のレンズＣＰＵ１０２および操作スイッチ１０７の陰極と接続されている。
【００１８】
レンズＣＰＵ１０２は、レンズ鏡筒１００の各部を統括制御するマイクロコンピュータであり、後述の通信接点１０６を介して、カメラＣＰＵ１２から駆動信号などを受信したり、レンズ鏡筒１００の駆動情報などをカメラＣＰＵ１２に送信したりする。また、レンズＣＰＵ１０２は、カメラＣＰＵ１２から受信した駆動信号に基づいて、後述のＡＦ制御部１１０や、ブレ補正部１２０、絞り機構部１３０を駆動させる。
【００１９】
電源回路１０３は、レンズＣＰＵ１０２から送信される信号ＣＴＬ２に基づいて、電気接点１０４を介して電源部１３から供給される電力の電圧を安定させて、電力をレンズ鏡筒１００のＡＦ制御部１１０およびブレ補正部１２０に供給する電源安定化回路である。
【００２０】
電気接点１０４は、カメラ１０の電源部１３の電力をレンズ鏡筒１００に供給する接触式の接点であり、鏡筒筐体１０１の装着部１０１−１上の、カメラ１０の電気接点１７に対応する位置に設けられている。
電気接点１０４は、カメラ１０の陽極接点１７ａと接触する陽極接点１０４ａと、カメラ１０の陰極接点１７ｂと接触する陰極接点１０４ｂとを備えている。ここで、陽極接点１０４ａは、電源回路１０３や、後述のＡＦ制御部１１０のＡＦモータ１１２、後述のブレ補正部１２０のＶＲモータ１２２および絞り機構部１３０に接続され、陰極接点１０４ｂは、電源回路１０３、ＡＦ制御部１１０、ブレ補正部１２０および絞り機構部１３０に接続される。
電気接点１０４は、カメラ１０にレンズ鏡筒１００が装着された場合に、カメラ１０の電気接点１７と接触して電気的に導通し、電気接点１０４に接続された電源回路１０３や、後述のＡＦ制御部１１０のＡＦモータ１１２、後述のブレ補正部１２０のＶＲモータ１２２および絞り機構部１３０に電力を供給する。
【００２１】
回路電気接点１０５は、カメラ１０の電源回路１４の電力をレンズＣＰＵ１０２に供給する接触式の接点であり、鏡筒筐体１０１の装着部１０１−１上の、カメラ１０の回路電気接点１８に対応する位置に設けられている。
【００２２】
通信接点１０６は、カメラＣＰＵ１２とレンズＣＰＵ１０２との間で情報を通信する非接触式の接点であり、鏡筒筐体１０１の装着部１０１−１上の、カメラ１０の通信接点１９に対応する位置に設けられている。通信接点１０６は、データライン接点１０６ａと、ハンドシェイクライン接点１０６ｂと、クロックライン接点１０６ｃを備えている。データライン接点１０６ａ、ハンドシェイクライン接点１０６ｂ、およびクロックライン接点１０６ｃは、カメラ１０にレンズ鏡筒１００が装着された場合に、それぞれ、データライン接点１９ａ、ハンドシェイクライン接点１９ｂ、およびクロックライン接点１９ｃと交流結合し、これによってカメラ１０とレンズ鏡筒１００とが通信可能となる。
【００２３】
データライン接点１０６ａは、カメラＣＰＵ１２とレンズＣＰＵ１０２との相互間でデータの送受信を行うデータラインを中継する。
ハンドシェイクライン接点１０６ｂは、カメラＣＰＵ１２とレンズＣＰＵ１０２とが所定の制御信号によって通信するためのハンドシェイクラインを中継する。
クロックライン接点１０６ｃは、カメラＣＰＵ１２とレンズＣＰＵ１０２とのクロック同期をとるためのクロックラインを中継する。
操作スイッチ１０７は、鏡筒筐体１０１とレンズＣＰＵ１０２とに接続され、ブレ補正部１２０のＯＮ／ＯＦＦスイッチなどで構成される。
【００２４】
ＡＦ制御部１１０は、ＡＦ制御回路１１１およびＡＦモータ１１２を備えたオートフォーカス（ＡＦ）機構であり、レリーズスイッチ２０ａの操作に基づいて、不図示のＡＦレンズを駆動させて、カメラシステム１による被写体の焦点を自動的に調整する。
ブレ補正部１２０は、レンズ鏡筒１００を装着したカメラ１０で被写体を撮影する撮影者の手振れ振動が、レンズ鏡筒１００の不図示のブレ補正レンズに伝わるのを低減させる機構であり、ブレ補正回路１２１およびＶＲ（Ｖｉｂｒａｔｉｏｎ  Ｒｅｄｕｃｔｉｏｎ）モータ１２２を備えている。
【００２５】
絞り機構部１３０は、不図示のレンズから入射する被写体光の量を制限する機構であり、絞り駆動回路１３１、絞りモータ１３２および電圧モニタ回路１３３を備えている。
電圧モニタ回路１３３は、絞り駆動回路１３１に供給される電源部１３の電圧を検出する回路であり、検出した電圧値をレンズＣＰＵ１０２に送信する回路である。
【００２６】
次に、通信接点１９と通信接点１０６との接続について詳細に説明する。図３は、通信接点１９と、通信接点１０６との構成を示す模式図である。
【００２７】
図３は、本実施形態の通信接点１９および通信接点１０６の模式図である。
図３に示すように、カメラ１０の回路部Ｃ１は、一部がフレキシブルプリント回路基板ＢＰ１により構成されている。また、レンズ鏡筒１００の回路部Ｃ２は、一部がフレキシブルプリント回路基板ＢＰ２により構成されている。
【００２８】
フレキシブルプリント回路基板ＢＰ１には、データライン接点１９ａ、ハンドシェイクライン接点１９ｂおよびクロックライン接点１９ｃそれぞれに対応する導箔パターンＰ１１、Ｐ１２およびＰ１３が付着されている。フレキシブルプリント回路基板ＢＰ２には、データライン接点１０６ａ、ハンドシェイクライン接点１０６ｂおよびクロックライン接点１０６ｃそれぞれに対応する導箔パターンＰ２１、Ｐ２２およびＰ２３が付着されている。なお、本実施形態では、導箔の素材は銅である。
【００２９】
さらに、フレキシブルプリント回路基板ＢＰ１、ＢＰ２の上部は、不図示のカバーレイフィルム等の絶縁体により覆われている。これにより、導箔パターンＰ１１、Ｐ１２およびＰ１３と、導箔パターンＰ２１、Ｐ２２およびＰ２３とは、互いに接触して電気的に導通しないようにされている。
【００３０】
また、回路部Ｃ１とフレキシブルプリント回路基板ＢＰ１との間、および回路部Ｃ２とフレキシブルプリント回路基板ＢＰ２との間の、回路部からフレキシブルプリント回路基板ＢＰへと電流が流れる少なくとも一方に、微分回路を形成するプルダウン抵抗Ｒと、当該微分回路の出力を整形するコンパレータＣＰと、が備えられている（図７参照）。このプルダウン抵抗Ｒの一端は、装着部１１−１に接続され、グランドにされている。
なお、図７では、プルダウン抵抗ＲおよびコンパレータＣＰをレンズ鏡筒１００側に設けることとしたが、プルダウン抵抗ＲおよびコンパレータＣＰをカメラ１０側にも設けて、通信接点１９、１０６において、双方向通信を可能としてもよい。
【００３１】
フレキシブルプリント回路基板ＢＰ１，ＢＰ２は、それぞれ、四方が導板（図示省略）等により囲まれてシールドされている。これらの導板は、装着部１１−１に接続されることによりグランドにされている。
【００３２】
図４は、本実施形態のカメラ筐体１１にレンズ鏡筒１００を装着した場合における通信接点１９と通信接点１０６との関係を示す図である。図５は、本実施形態のカメラ筐体１１にレンズ鏡筒１００を装着した場合における通信接点１９と通信接点１０６との側面図である。
【００３３】
図４および図５に示されるように、カメラ筐体１１にレンズ鏡筒１００を取り付けた場合において、導箔パターンＰ１１、Ｐ１２およびＰ１３は、それぞれ、導箔パターンＰ２１、Ｐ２２およびＰ２３と、所定の間隔ｄで対向する。これにより、図６に示すように、導箔パターンＰ１１と導箔パターンＰ２１との間、導箔パターンＰ１２と導箔パターンＰ２２との間、導箔パターンＰ１３と導箔パターンＰ２３との間には、電気力線が生じ、図６に示すようにコンデンサで結合されるのと等価となる。
【００３４】
図７は、本実施形態の通信接点１９のクロックライン接点１９ｃと、通信接点１０６のクロックライン接点１０６ｃとが交流結合した場合の等価回路を示す図である。なお、図７では、クロックライン接点１９ｃとクロックライン接点１０６ｃとが交流結合した場合の等価回路を示しているが、データライン接点１９ａとデータライン接点１０６ａとが交流結合した場合の等価回路、およびハンドシェイクライン接点１９ｂとハンドシェイクライン接点１０６ｂとが交流結合した場合の等価回路も、図７に示される等価回路と同様である。
【００３５】
図７に示されるように、等価回路では、コンデンサＣの両端にインピーダンスＺが接続されている。コンデンサＣの容量は、導箔パターンＰ１３と導箔パターンＰ２３との対向領域、所定の間隔ｄ、この所定の間隔ｄに存在する絶縁物（空気およびカバーレイフィルム等）の誘電率により決定される。一方のインピーダンスＺは、信号源であるカメラＣＰＵ１２に接続されており、他方のインピーダンスは、プルダウン抵抗ＲおよびコンパレータＣＰに接続されている。また、コンパレータＣＰは、レンズＣＰＵ１０２に接続されている。
【００３６】
カメラＣＰＵ１２からレンズＣＰＵ１０２に、図８（ａ）に示されるクロック信号（方形波）を送信する場合、等価回路内の信号は以下のように変化する。すなわち、微分回路から出力される信号は、図８（ｂ）に示されるように、クロック信号を微分して得られた波形となる。そして、この波形は、コンパレータＣＰにより整形されることによって、図８（ａ）に示されるクロック信号に復元され、レンズＣＰＵ１０２に供給される。
【００３７】
なお、本実施形態では、プルダウン抵抗Ｒを１つの抵抗から構成されることとしたが、プルダウン抵抗Ｒを複数の抵抗により構成させるとともに、これら複数の抵抗それぞれに対して、レンズＣＰＵ１０２に接続されるスイッチを並列に設けるようにしてもよい。そして、レンズＣＰＵ１０２により、通信接点１９および通信接点１０６に伝達される通信信号の周波数に応じて、スイッチをＯＮ／ＯＦＦさせて、プルダウン抵抗の抵抗値を変更するようにしてもよい。例えば、レンズＣＰＵ１０２は、通信信号の周波数が低い場合、プルダウン抵抗が小さくなるようにスイッチを調整し、通信信号の周波数が高い場合、プルダウン抵抗が大きくなるようにスイッチを調整する。これによって、複数の周波数それぞれの通信信号に対応させて、コンパレータＣＰにより通信信号を復元させることができる。
【００３８】
以上、本実施形態によると、以下の効果を有する。
通信接点１９，１０６を、交流結合させて駆動信号を通信可能としたことにより、接点の腐食による酸化又は接点の磨耗を起因とした接触不良の発生を防ぎ、カメラ１０とレンズ鏡筒１００との間で良好に通信を行うことができる。
【００３９】
電源を供給するための電気接点１７，１０４および回路電気接点１８，１０５について、互いに接触させて電気的に導通させ、通信接点１９，１０６のみ交流結合とした。これにより、安定した電力供給を行うことができるとともに、カメラ１０とレンズ鏡筒１００との接点を減少させて、信頼性を向上させることができる。
【００４０】
通信接点１９，１０６を、フレキシブルプリント回路基板に付着される導箔パターンにより構成し、導箔パターン同士を所定の間隔で対向することにより交流結合することとした。これにより、トランスを用いて非接触通信を行う場合に比べて省スペース化を図ることができ、製品のデザイン上の制約を受けにくくすることができる。
【００４１】
コンデンサＣとプルダウン抵抗Ｒとから構成される微分回路の出力をコンパレータＣＰにより整形することとした。これにより、微分回路から出力された歪みのある通信信号を良好に復元することができる。
【００４２】
プルダウン抵抗の抵抗値を、通信接点１９，１０６により伝達される通信信号の周波数に対応して変更することとした。これにより、複数種類の周波数（複数の通信速度）による通信が可能になる。
【００４３】
フレキシブルプリント回路基板ＢＰ１，ＢＰ２の四方を、導板等によりシールドされていることとした。これにより、フレキシブルプリント回路基板ＢＰ１，ＢＰ２が対向することにより形成される交流結合が他の機器に対して影響することを防止できる。
【００４４】
（変形形態）
以上、説明した実施形態に限定されることなく、以下に示すような種々の変形や変更が可能であり、それらも本発明の範囲内である。
本実施形態では、導箔の素材を銅とし、フレキシブルプリント回路基板の上部をカバーレイフィルム等の絶縁体により覆うこととした。しかし、これに限らず、導箔の素材を金として、カバーレイフィルム等の絶縁体により覆わないようにしてもよい。
なお、実施形態および変形形態は、適宜組み合わせて用いることもできるが、詳細な説明は省略する。また、本発明は以上説明した実施形態によって限定されることはない。
【符号の説明】
【００４５】
１：カメラシステム、１０：カメラ、１１：カメラ筐体、１１−１，１０１−１：装着部、１２：カメラＣＰＵ、１３：電源部、１４，１０３：電源回路、１５：給電回路、１６：給電スイッチ、１７，１０４：電気接点、１８，１０５：回路電気接点、１９，１０６：通信接点、２０，１０７：操作スイッチ、１００：レンズ鏡筒、１０１：鏡筒筐体、１０２：レンズＣＰＵ、１１０：ＡＦ制御部、１２０：ブレ補正部、１３０：絞り機構部、Ｃ１，Ｃ２：回路部、ＢＰ１，ＢＰ２：フレキシブル回路基板、Ｐ１１，Ｐ１２，Ｐ１３，Ｐ２１，Ｐ２２，Ｐ２３：導箔パターン
【図１】
2013058840.tif 000003
【図２】
2013058840.tif 000004
【図３】
2013058840.tif 000005
【図４】
2013058840.tif 000006
【図５】
2013058840.tif 000007
【図６】
2013058840.tif 000008
【図７】
2013058840.tif 000009
【図８】
2013058840.tif 000010